(57)【要約】  臭素酸、過塩素酸などの酸化ハロゲン酸を定量分析するために、高速液体クロマトグラフのカラム７の出口に質量分析計８を接続したＨＰＬＣ／ＭＳを用い、カラム７にはイオン交換機能を持たせた逆相カラムを使用するとともに、移動相には蟻酸アンモニウム緩衝液とアセトニトリルの混合液を使用し、蟻酸アンモニウム／アセトニトリルの濃度を上げるグラジエント分析を行う。それによって、サプレッサを用いない汎用のＨＰＬＣ／ＭＳの装置構成によって、試料に含まれる各種酸化ハロゲン酸とそれ以外の成分とを適切に分離して高感度で検出することができる。
2013024518.tif 000002
【特許請求の範囲】
【請求項１】
試料中の酸化ハロゲン酸を定量分析する酸化ハロゲン酸分析方法であって、
高速液体クロマトグラフィのカラムと大気圧イオン化質量分析計とを接続した液体クロマトグラフ質量分析計を使用し、前記カラムとしてイオン交換機能を持たせた逆相カラムを用いるとともに、有機酸又は有機酸塩緩衝液と有機溶媒との混合液を移動相として、試料中の酸化ハロゲン酸を含む各種成分を分離した上で検出することを特徴とする酸化ハロゲン酸分析方法。
【請求項２】
請求項１に記載の酸化ハロゲン酸分析方法であって、
前記カラムは表面にＯＤＳ基とイオン受容体とを導入した担体を固定相としたものであることを特徴とする酸化ハロゲン酸分析方法。
【請求項３】
請求項１又は２に記載の酸化ハロゲン酸分析方法であって、
前記移動相は蟻酸アンモニウム緩衝液とアセトニトリルとの混合液であり、時間経過に伴い蟻酸アンモニウム濃度を上昇させるグラジエント分析を行うことを特徴とする酸化ハロゲン酸分析方法。
【発明の詳細な説明】
【技術分野】
【０００１】
本発明は、過塩素酸、塩素酸、臭素酸、ヨウ素酸などの酸化ハロゲン酸を高感度で分析する酸化ハロゲン酸分析方法に関する。
【背景技術】
【０００２】
水道水に対するオゾン高度処理の普及に伴って、その副生成物として生じる臭素酸、過塩素酸などの酸化ハロゲン酸が健康に及ぼす影響が懸念されている。特に臭素酸は発ガン性が問題となっており、近年、我が国では、水道水中の臭素酸の含有量の規制が強化されている。こうした規制の強化、或いは河川水などの生活環境の汚染に対する懸念の高まりなどに伴い、酸化ハロゲン酸の定量分析にはますます高感度化や高精度化が求められている。【０００３】
酸化ハロゲン酸は水等の溶液中で酸化ハロゲン酸イオンとして存在しているため、定量分析には、従来、電気伝導度検出器を検出器としたイオンクロマトグラフィが用いられている（特許文献１等参照）。イオンクロマトグラフィは、イオン交換樹脂等を固定相としたカラムを用いるとともに、電解質溶液を移動相とした分離手法であり、試料溶液中に存在する種々のイオンの、イオン交換樹脂とのイオン交換能（選択係数）の差に従って各イオンは分離されてカラムから溶出する。しかしながら、こうした従来の分析手法ではごく微量の酸化ハロゲン酸を定量することが難しく、その測定精度も十分ではない。また、検出感度を上げるには試料中の分析対象成分濃度を高めるための濃縮等の前処理が必須であり、分析のスループットを上げることが難しい。【０００４】
こうした問題に対し、検出器としてエレクトロスプレイイオン化（ＥＳＩ）質量分析計を用いたイオンクロマトグラフィによる酸化ハロゲン酸分析方法が非特許文献１に提案されている。図３は該提案法に基づく分析装置の概略構成図である。【０００５】
この装置では、送液ポンプ１２により移動相容器１１から吸引された移動相（水酸化カリウム）は、インジェクタ１３を通してイオン交換カラム１４へと送られる。インジェクタ１３から移動相中に臭素、臭素酸、塩素酸、過塩素酸等を含む試料が導入されると、これら各成分はイオン交換カラム１４を通過する際に分離されて溶出する。移動相は高濃度の不揮発性塩を含むため、これが質量分析計１７に導入されることを避けるために、イオン交換カラム１４と質量分析計１７との間にはサプレッサ１５が挿設されている。このサプレッサ１５により移動相中のイオンを除去することで、バックグラウンドノイズを低減するとともに析出する移動相由来の塩によるＥＳＩスプレイノズルの目詰まりを防止することができる。ただし、サプレッサ１５を通過することで溶液の極性が大きくなってイオン化効率が下がるおそれがあるため、イオン化効率を上げるためにメタノール添加部１６において一定流量のメタノールを移動相に添加する。質量分析計１７では負イオン化モードでＭＲＭ測定を実行することにより、各成分に対応したマスクロマトグラム（抽出イオンクロマトグラム）を取得する。【０００６】
上述のように検出器として質量分析計を使用することにより、イオン交換カラムで十分に分離しきれない夾雑物が目的成分と重なって溶出した場合でも、質量電荷比の相違を利用して目的成分のみを検出することができる。また、質量分析計１７とサプレッサ１５とを併用することによって、電気伝導度検出器を用いて検出する場合に比べて高い感度で目的成分を検出することができる。【０００７】
しかしながら、上記の分析方法では、イオン交換カラム１４と質量分析計１７との間にサプレッサ１５を挿設する必要があるのみならず、サプレッサ１５から質量分析計１７への流路中にメタノールなどの有機溶媒を所定流量で追加する必要があり、現在、広く普及している通常の高速液体クロマトグラフ質量分析計（ＨＰＬＣ／ＭＳ）とは装置構成を変更しなければならない。例えば水道水や河川水などの検査を行う際には、酸化ハロゲン酸だけでなくそのほかの様々な物質に対する定量分析を行うことになるが、酸化ハロゲン酸を分析するときにのみ装置構成を変更するような煩雑な作業を要すると、分析効率を向上させる上で大きな障害となる。また、移動相として用いられる水酸化カリウムは我が国の法律で劇物に指定されているように取扱いに注意を要する物質であり、こうした物質を移動相として使用することも効率的な分析作業には障害となる。
【先行技術文献】
【特許文献】
【０００８】
【特許文献１】特開２００２−２４９５１７号公報
【非特許文献】
【０００９】
【非特許文献１】「Agilent6410による臭素及び酸化ハロゲン酸の高感度分析」、［online］、アジレント・テクノロジー株式会社、 [平成２３年８月８日検索]、インターネット＜URL : http://www.chem-agilent.com/cimg/LCMS-200809TK-001.pdf＞
【発明の概要】
【発明が解決しようとする課題】
【００１０】
本発明は上記課題を解決するためになされたものであり、その主な目的は、上記の従来手法よりも簡便で、汎用性の高い一般的な高速液体クロマトグラフ質量分析計を利用して高感度、高精度で酸化ハロゲン酸を定量分析することができる酸化ハロゲン酸分析方法を提供することにある。
【課題を解決するための手段】
【００１１】
上述した、不揮発性塩濃度の高い移動相、イオン交換カラム、及び質量分析計の組み合わせは高い検出感度を達成できるものの、不所望のイオンを除去するサプレッサの使用が避けられない。サプレッサを排除するためには、高濃度の不揮発性塩が添加されない移動相を使用する必要がある。そこで、本願発明者は、カラムとして、イオン交換カラムに代えて、疎水性に関しては一般的な逆相カラム（逆相クロマトグラフィ用カラム）とほぼ同程度又はそれに近い特性を有しつつ、イオン性高極性物質を保持できるようにイオン交換機能を持たせたカラムを使用することに想到した。そして、そうしたカラムを用いつつ、移動相等の分析条件に関する実験的な検討を繰り返し、移動相として有機酸塩緩衝液などと有機溶媒の混合液を用いることで、臭素酸、過塩素酸などの酸化ハロゲン酸を的確に分離し、且つ高い検出感度と定量性とを達成できることを見いだした。【００１２】
本発明に係る酸化ハロゲン酸分析方法は上記のような知見に基づいてなされたものであり、試料中の酸化ハロゲン酸を定量分析する酸化ハロゲン酸分析方法であって、
高速液体クロマトグラフィのカラムと大気圧イオン化質量分析計とを接続した液体クロマトグラフ質量分析計を使用し、前記カラムとしてイオン交換機能を持たせた逆相カラムを用いるとともに、有機酸又は有機酸塩緩衝液と有機溶媒との混合液を移動相として、試料中の酸化ハロゲン酸を含む各種成分を分離した上で検出することを特徴としている。【００１３】
一般的に、有機酸とは、酢酸、蟻酸、シュウ酸、乳酸、酒石酸、クエン酸。トリフルオロ酢酸などを含むカルボン酸類のことであり、上記有機酸塩緩衝液としては、例えば、蟻酸アンモニウム緩衝液や酢酸アンモニウム緩衝液を用いればよい。一方、有機溶媒も特に限定されないが、典型的にはアセトニトリルを用いることができる。【００１４】
即ち、本発明の一態様として、移動相は蟻酸アンモニウム緩衝液とアセトニトリルとの混合液とすることができる。また、その際に、時間経過に伴い蟻酸アンモニウム濃度を上昇させるグラジエント分析を行うようにするとよい。【００１５】
例えば蟻酸アンモニウムは、正電荷のアンモニウムイオンと負電荷の蟻酸イオンとを含み、カラム中の固定相のイオン交換機能による試料中の酸化ハロゲン酸イオンを保持する作用に寄与する。また蟻酸アンモニウム等の有機酸塩緩衝液は揮発性塩であるから、質量分析計の例えばＥＳＩイオン源に導入されても析出などの問題を生じにくい。一方、アセトリトリル等の有機溶媒は極性溶媒であり、カラム中の固定相の疎水性相互作用（つまり逆相の機能）に寄与し、さらに質量分析計の例えばＥＳＩ源において試料分子を効率良くイオン化するのにも寄与する。【００１６】
上記「イオン交換機能を持たせた逆相カラム」には各種の態様が考え得る。具体的には例えば、表面にＯＤＳ（OctaDecylSilyl）基とイオン受容体とを導入した、多孔性シリカ等の担体を固定相としたカラムを利用することができる。また、例えば表面にＯＤＳ基を導入した逆相クロマトグラフィ用の担体とイオン交換樹脂等のイオンクロマトグラフィ（又はイオン交換クロマトグラフィ）用担体との混合物を充填したカラムを利用することもできる。いずれも、カラムはイオン交換による成分分離機能と逆相モードの成分分離機能とを併せ持つため、試料中の強イオン性化合物である酸化ハロゲン酸由来のイオンのみならず、非イオン性の化合物も分離される。
【発明の効果】
【００１７】
本発明に係る酸化ハロゲン酸分析方法によれば、カラムと質量分析計との間にサプレッサを設ける必要がなく、またサプレッサと質量分析計との間の流路中に有機溶媒を混入させる必要もなくなるので、ごく一般的な高速液体クロマトグラフ質量分析計の装置構成で分析が行える。そのため、酸化ハロゲン酸以外の物質の分析を併せて行う場合でも、装置構成を一々変更する必要がなく、分析作業が煩雑にならずスループットを向上させるのに有利である。また、移動相も取扱いが容易な一般的なものを使用できるので、その点でも分析作業が簡便である。
【図面の簡単な説明】
【００１８】
【図１】本発明に係る酸化ハロゲン酸分析方法を実施するための高速液体クロマトグラフ質量分析計（ＨＰＬＣ／ＭＳ）の一実施例の概略構成図。
【図２】本実施例のＨＰＬＣ／ＭＳによる分析例を示す図。
【図３】酸化ハロゲン酸を分析するための従来のイオンクロマトグラフ質量分析計の概略構成図。
【発明を実施するための形態】
【００１９】
本発明に係る酸化ハロゲン酸分析方法の一実施形態を説明する。図１は本発明に係る分析方法を実施するためのＨＰＬＣ／ＭＳの一例の概略構成図である。
【００２０】
図１において、第１送液ポンプ２は第１移動相容器１から移動相Ａを吸引して所定流量で送出し、第２送液ポンプ４は第２移動相容器３から移動相Ｂを吸引して所定流量で送出する。移動相Ａと移動相Ｂとは混合器５で混合され、インジェクタ６を経てカラム７に送出される。インジェクタ６では分析対象である液体試料がマイクロシリンジなどを用いて移動相中に注入され、液体試料は移動相の流れに乗ってカラム７に送り込まれる。試料中の各種成分はカラム７を通過する際に分離され、時間差がついてカラム７出口から溶出する。
【００２１】
カラム７からの溶出液は検出器としての質量分析計８に送られ、ＥＳＩイオン源８１のスプレイノズルから略大気圧雰囲気中に噴霧され、溶出液に含まれる成分分子はイオン化される。生成されたイオンはイオンレンズ８２で収束され、四重極マスフィルタ８３で質量電荷比に応じて分離されて、イオン検出器８４に到達し検出される。時間の経過に伴って溶出液中に含まれる成分の種類、つまり質量分析に供される成分の種類は変化する。四重極マスフィルタ８３は予め設定された１乃至複数の質量電荷比のイオンを検出するようにイオン選択（ＳＩＭ）モードで駆動される。したがって、イオン検出器８４で得られる検出信号は各成分を反映したものとなり、図示しないデータ処理部では、検出信号に基づいて、目的成分である酸化ハロゲン酸化合物に対応したマスクロマトグラムが作成され、該クロマトグラムに現れるピークに基づいて目的成分の定性、定量が行われる。
【００２２】
なお、質量分析計８のイオン源はＥＳＩによるものに限らず、大気圧化学イオン化法（ＡＰＣＩ）や大気圧光イオン化法（ＡＰＰＩ）によるものでもよい。また、質量分離器は四重極マスフィルタでなくてもよく、例えば飛行時間型質量分析器などでもよい。また、三連四重極型質量分析計のように、ＭＳ／ＭＳ分析又はＭＳn分析が可能な質量分析計でもよい。
【００２３】
本発明に係る酸化ハロゲン酸分析方法に使用されるＨＰＬＣ／ＭＳでは、カラム７と質量分析計８とは直結され、その間にサプレッサなどの溶液に対する何らかの処理を行う装置は設けられない。また、ＨＰＬＣのカラム７はイオン交換カラムではなく、イオン交換機能と逆相モードによる成分分離機能（つまり疎水性相互作用による成分分離の機能）とを併せ持つ固定相が充填されたカラムが用いられる。具体的には例えば、インタクト社製のScherzo C18シリーズ（＜URL :http://www.imtakt.com/jp/Products/Scherzo/index.htm＞参照）が利用可能である。これは、表面がイオン交換機能を有する官能基（イオン受容体）とＯＤＳとで修飾された多孔性シリカが固定相として充填されたカラムである。また、それ以外にも、例えば表面にＯＤＳ基を導入した逆相クロマトグラフィ用の担体とイオン交換樹脂等のイオンクロマトグラフィ用担体との混合物を充填したカラムを利用することもできる。
【００２４】
上記カラムにおいて、強イオン性化合物である酸化ハロゲン酸のイオンのほか、塩基性物質や非イオン性物質を分離するために、例えば蟻酸アンモニウム緩衝液や酢酸アンモニウム緩衝液等の有機酸塩緩衝液とアセトニトリル等の有機溶媒とを混合した移動相を利用する。ただし、臭素酸や過塩素酸など、異なる酸化ハロゲン酸を適切に分離するために、有機酸塩緩衝液の濃度を時間経過に伴って変化させるグラジエント分析を実施する。そこで、この例、移動相Ａとして所定濃度の蟻酸アンモニウム、移動相Ｂとして移動相Ａの蟻酸アンモニウム濃度よりも十分に高い濃度の蟻酸アンモニウムとアセトニトリルとの混合液を使用し、移動相Ｂの混合比率を低比率、例えば０％から徐々に増加させることでグラジエント分析を行う。
【００２５】
揮発性塩である蟻酸アンモニウムに由来する蟻酸イオン、アンモニウムイオンの存在の下で、試料中の酸化ハロゲン酸イオンはカラム７のイオン受容体に保持され、さらに、蟻酸アンモニウム濃度の上昇に伴って異なる種類の酸化ハロゲン酸イオンに対する保持能の差異が大きくなることで、異なる種類の酸化ハロゲン酸は時間的に十分な差異を以てカラム７から溶出する。一方、試料に含まれる非イオン性化合物はＯＤＳの疎水性相互作用によって分離される。したがって、上記移動相とカラム７との組み合わせにより、異なる種類の酸化ハロゲン酸のほか、非イオン性化合物を含め、試料に含まれる様々な成分が分離される。アセトニトリルが移動相に含まれない状態では、移動相の極性は高くＥＳＩイオン源８１でのイオン化効率はあまり高くないが、アセトニトリルが移動相に添加されて極性が下がるとＥＳＩイオン源８１でのイオン化効率は向上する。それによって、質量分析計８では、カラム７からの溶出液中に含まれる各種成分を効率良くイオン化して、高い感度で分析することができる。また、蟻酸アンモニウムは揮発性であるため、ＥＳＩイオン源８１に導入されても目詰まり等を生じるおそれは小さい。
【実施例】
【００２６】
図１に示したＨＰＬＣ／ＭＳを用いた酸化ハロゲン酸の具体的な分析例について説明する。
分析条件は次の通りである。
・装置：LCMS-8030（島津製作所製）
・カラム：インタクト社製 Scherzo SM-C18（内径２．０mm、長さ５０mm、充填物粒子径３μm）
・移動相Ａ：１mM 蟻酸アンモニウム緩衝液
・移動相Ｂ：１００mM 蟻酸アンモニウム緩衝液＋アセトニトリル（混合比 １：９）
・カラム流速：０．２５mL/min
・グラジエント時間プログラム：０％（０分）−６０％（６．０分）移動相Ｂ
・カラム温度：３５℃
また、質量分析計８でのイオン化法はネガティブイオンモードである。【００２７】
上記分析条件の下で、過塩素酸の標準品（１０ppb）及び臭素酸の標準品（１００ppb）を試料として測定し、検出して得られたマスクロマトグラムを図２に示す。図２から、過塩素酸と臭素酸とが十分な保持時間差を以て検出されていることや、定量に支障となるようなバックグラウンドが殆ど現れないこと、が分かる。これは、本測定データが三連四重極型質量分析計を用いた結果であり、三連四重極型質量分析計のＭＲＭ測定の選択性の高さによるものである。この結果から、水道水や河川水などに含まれる臭素酸、過塩素酸などを定量するのに十分な性能を確保できることが確認できる。【００２８】
なお、上記実施例は本発明の一例であって、本発明の趣旨の範囲で適宜修正や変更、追加を行っても本願特許請求の範囲に包含されることは明らかである。
【符号の説明】
【００２９】
１…第１移動相容器
２…第１送液ポンプ
３…第２移動相容器
４…第２送液ポンプ
５…混合器
６…インジェクタ
７…カラム
８…質量分析計
８１…ＥＳＩイオン源
８２…イオンレンズ
８３…四重極マスフィルタ
８４…イオン検出器
【図１】
2013024518.tif 000003
【図２】
2013024518.tif 000004
【図３】
2013024518.tif 000005
【手続補正書】
【提出日】平成25年10月31日(2013.10.31)
【手続補正１】
【補正対象書類名】明細書
【補正対象項目名】００１３
【補正方法】変更
【補正の内容】
【００１３】
一般的に、有機酸とは、酢酸、蟻酸、シュウ酸、乳酸、酒石酸、クエン酸、トリフルオロ酢酸などを含むカルボン酸類のことであり、上記有機酸塩緩衝液としては、例えば、蟻酸アンモニウム緩衝液や酢酸アンモニウム緩衝液を用いればよい。一方、有機溶媒も特に限定されないが、典型的にはアセトニトリルを用いることができる。
【手続補正２】
【補正対象書類名】明細書
【補正対象項目名】００２１
【補正方法】変更
【補正の内容】
【００２１】
カラム７からの溶出液は検出器としての質量分析計８に送られ、ＥＳＩイオン源８１のスプレイノズルから略大気圧雰囲気中に噴霧され、溶出液に含まれる成分分子はイオン化される。生成されたイオンはイオンレンズ８２で収束され、四重極マスフィルタ８３で質量電荷比に応じて分離されて、イオン検出器８４に到達し検出される。時間の経過に伴って溶出液中に含まれる成分の種類、つまり質量分析に供される成分の種類は変化する。四重極マスフィルタ８３は予め設定された１乃至複数の質量電荷比のイオンを検出するように選択イオンモニタリング（ＳＩＭ）モードで駆動される。したがって、イオン検出器８４で得られる検出信号は各成分を反映したものとなり、図示しないデータ処理部では、検出信号に基づいて、目的成分である酸化ハロゲン酸化合物に対応したマスクロマトグラムが作成され、該クロマトグラムに現れるピークに基づいて目的成分の定性、定量が行われる。
【手続補正３】
【補正対象書類名】明細書
【補正対象項目名】００２４
【補正方法】変更
【補正の内容】
【００２４】
上記カラムにおいて、強イオン性化合物である酸化ハロゲン酸のイオンのほか、塩基性物質や非イオン性物質を分離するために、例えば蟻酸アンモニウム緩衝液や酢酸アンモニウム緩衝液等の有機酸塩緩衝液とアセトニトリル等の有機溶媒とを混合した移動相を利用する。ただし、臭素酸や過塩素酸など、異なる酸化ハロゲン酸を適切に分離するために、有機酸塩緩衝液の濃度を時間経過に伴って変化させるグラジエント分析を実施する。そこで、この例では、移動相Ａとして所定濃度の蟻酸アンモニウム、移動相Ｂとして移動相Ａの蟻酸アンモニウム濃度よりも十分に高い濃度の蟻酸アンモニウムとアセトニトリルとの混合液を使用し、移動相Ｂの混合比率を低比率、例えば０％から徐々に増加させることでグラジエント分析を行う。
【国際調査報告】
2013024518.tif 000006
2013024518.tif 000007
2013024518.tif 000008
2013024518.tif 000009